(57)【要約】【課題】プログラムダウンロード装置から端末装置にダウンロード可能なアプリケーションプログラムを変更する場合でも、煩雑なプログラム変更を不要にする。【解決手段】プログラムダウンロード装置は、端末装置からアプリケーションプログラムのダウンロードが要求されると、このダウンロード要求元の端末装置では処理されない機能を判別する。そして、その機能に対応したアプリケーションプログラムを無効化する制限データを生成して、複数の機能処理を実現するためのアプリケーションプログラムとともに制限データを前記ダウンロード要求元の端末装置にダウンロードする。このダウンロードを受けた端末装置は、プログラムダウンロード装置からダウンロードされたアプリケーションプログラムのうち制限データによって無効化された部分を除いたプログラムを有効なアプリケーションプログラムとして実行させる。【選択図】      図９
2006260149.tif 000002
【特許請求の範囲】
【請求項１】
複数の機能処理を実現するためのアプリケーションプログラムをダウンロードするプログラムダウンロード装置と、前記複数の機能のうち少なくとも１つの機能を専門に処理する端末装置とをデータ通信可能に接続し、前記プログラムダウンロード装置から前記端末装置に前記アプリケーションプログラムをダウンロードするプログラムダウンロード方法であって、
前記端末装置は、前記プログラムダウンロード装置に対してアプリケーションプログラムのダウンロードを要求し、
前記プログラムダウンロード装置は、前記端末装置からアプリケーションプログラムのダウンロードが要求されると、このダウンロード要求元の端末装置では処理されない機能を判別し、その機能に対応したアプリケーションプログラムを無効化する制限データを生成して、前記複数の機能処理を実現するためのアプリケーションプログラムとともに前記制限データを前記ダウンロード要求元の前記端末装置にダウンロードし、
前記端末装置は、前記プログラムダウンロード装置からダウンロードされたアプリケーションプログラムのうち前記制限データによって無効化された部分を除いたプログラムを有効なアプリケーションプログラムとして実行させることを特徴とするプログラムダウンロード方法。
【請求項２】
複数の機能処理を実現するためのアプリケーションプログラムをダウンロードするプログラムダウンロード装置と、前記複数の機能のうち少なくとも１つの機能を専門に処理する端末装置とをデータ通信可能に接続し、前記プログラムダウンロード装置から前記端末装置に前記アプリケーションプログラムをダウンロードするプログラムダウンロードシステムにおいて、
前記プログラムダウンロード装置は、前記端末装置からアプリケーションプログラムのダウンロードが要求されると、このダウンロード要求元の端末装置では処理されない機能を判別する制限機能判別手段と、この制限機能判別手段により処理されないと判別された機能に対応したアプリケーションプログラムを無効化する制限データの生成手段と、前記複数の機能処理を実現するためのアプリケーションプログラムとともに前記生成手段により生成された制限データを前記ダウンロード要求元の前記端末装置にダウンロードするダウンロード処理手段とを具備し、
前記端末装置は、前記プログラムダウンロード装置に対してアプリケーションプログラムのダウンロードを要求するダウンロード要求手段と、このダウンロード要求手段による要求に応答して前記プログラムダウンロード装置からダウンロードされたアプリケーションプログラム及びこのアプリケーションプログラムに付加された制限データを記憶するダウンロードデータ記憶手段と、このダウンロードデータ記憶手段により記憶された前記アプリケーションプログラムのうち当該プログラムとともに記憶された制限データによって無効化された部分を除いたプログラムを有効なアプリケーションプログラムとして起動させるプログラム起動制御手段とを具備したことを特徴とするプログラムダウンロードシステム。
【請求項３】
前記プログラムダウンロード装置は、前記端末装置の機種毎にその端末装置で処理される機能または処理されない機能に関する情報を記憶する端末情報記憶手段と、ダウンロード要求元の端末装置の機種を判定する機種判定手段とをさらに具備し、
前記制限機能判別手段は、前記機種判定手段により判定された機種に対して前記端末情報記憶手段により記憶されている情報に基づいて前記ダウンロード要求元の端末装置では処理されない機能を判別することを特徴とする請求項２記載のプログラムダウンロードシステム。
【請求項４】
複数の機能のうち少なくとも１つの機能を専門に処理する端末装置に対し、その機能処理を実現するためのアプリケーションプログラムをダウンロードするプログラムダウンロード装置において、
前記端末装置からアプリケーションプログラムのダウンロードが要求されると、このダウンロード要求元の端末装置では処理されない機能を判別する制限機能判別手段と、この制限機能判別手段により処理されないと判別された機能に対応したアプリケーションプログラムを無効化する制限データの生成手段と、前記複数の機能処理を実現するためのアプリケーションプログラムとともに前記生成手段により生成された制限データを前記ダウンロード要求元の前記端末装置にダウンロードするダウンロード処理手段とを具備したことを特徴とするプログラムダウンロード装置。
【請求項５】
前記端末装置の機種毎にその端末装置で専門に処理される機能または処理されない機能に関する情報を記憶する端末情報記憶手段と、ダウンロード要求元の端末装置の機種を判定する機種判定手段とをさらに具備し、
前記制限機能判別手段は、前記機種判定手段により判定された機種に対して前記端末情報記憶手段により記憶されている情報に基づいて前記ダウンロード要求元の端末装置では処理されない機能を判別することを特徴とする請求項４記載のプログラムダウンロード装置。
【請求項６】
プログラムダウンロード装置からダウンロード可能なアプリケーションプログラムによって処理される複数の機能のうち少なくとも１つの機能を専門に処理する端末装置において、
前記プログラムダウンロード装置に対してアプリケーションプログラムのダウンロードを要求するダウンロード要求手段と、このダウンロード要求手段による要求に応答して前記プログラムダウンロード装置からダウンロードされたアプリケーションプログラム及びこのアプリケーションプログラムに付加された制限データを記憶するダウンロードデータ記憶手段と、このダウンロードデータ記憶手段により記憶された前記アプリケーションプログラムのうち当該プログラムとともに記憶された制限データによって無効化された部分を除いたプログラムを有効なアプリケーションプログラムとして起動させるプログラム起動制御手段とを具備したことを特徴とする端末装置。
【発明の詳細な説明】
【技術分野】
【０００１】
本発明は、プログラムダウンロード装置から端末装置にアプリケーションプログラムをダウンロードする方法及びプログラムダウンロードシステム、さらにはこのシステムを構築するプログラムダウンロード装置並びに端末装置に関する。
【背景技術】
【０００２】
プログラムダウンロード装置から複数の端末装置にネットワークを介してアプリケーションプログラムをダウンロードし、各端末装置はプログラムダウンロード装置からダウンロードされたアプリケーションプログラムに基づいて各種の機能処理を実現するシステムは従来からある。
【０００３】
このプログラムダウンロードシステムにおいて、各端末装置で処理される機能が端末装置毎に異なる場合、従来は、端末装置毎に必要なアプリケーションプログラムを予め生成してプログラムダウンロード装置で保持し、プログラムダウンロード装置は、端末装置からプログラムのダウンロード要求があるとその端末装置に該当するアプリケーションプログラムを選択しダウンロードするように構成することによって、端末装置固有の機能を実現するようにしていた（例えば、特許文献１参照）
【特許文献１】特開２００２−１６９６２１号公報
【発明の開示】
【発明が解決しようとする課題】
【０００４】
しかしながら、プログラムダウンロード先の端末装置によって処理される機能が異なる場合、従来の技術においては、端末装置毎に必要なアプリケーションプログラムを生成していたので、複数の機能のうち一部の機能を処理するアプリケーションに変更が生じると、そのアプリケーションを含む全てのプログラムを個々に変更しなければならないという面倒があった。
【０００５】
本発明はこのような事情に基づいてなされたもので、その目的とするところは、プログラムダウンロード装置から端末装置にダウンロード可能なアプリケーションプログラムによって処理される複数の機能のうち一部の機能を処理するアプリケーションに変更が生じても、煩雑なプログラム変更を不要にするプログラムダウンロード方法及びプログラムダウンロードシステム、さらにはこのシステムを構築するプログラムダウンロード装置並びに端末装置を提供しようとするものである。
【課題を解決するための手段】
【０００６】
本発明のプログラムダウンロード方法は、複数の機能処理を実現するためのアプリケーションプログラムをダウンロードするプログラムダウンロード装置と、複数の機能のうち少なくとも１つの機能を専門に処理する端末装置とをデータ通信可能に接続し、プログラムダウンロード装置から端末装置にアプリケーションプログラムをダウンロードするプログラムダウンロード方法である。その手順は先ず、端末装置が、プログラムダウンロード装置に対してアプリケーションプログラムのダウンロードを要求する。プログラムダウンロード装置は、端末装置からアプリケーションプログラムのダウンロードが要求されると、このダウンロード要求元の端末装置では処理されない機能を判別する。そして、その機能に対応したアプリケーションプログラムを無効化する制限データを生成して、複数の機能処理を実現するためのアプリケーションプログラムとともに制限データを前記ダウンロード要求元の端末装置にダウンロードする。このダウンロードを受けた端末装置は、プログラムダウンロード装置からダウンロードされたアプリケーションプログラムのうち制限データによって無効化された部分を除いたプログラムを有効なアプリケーションプログラムとして実行させる、というものである。
【０００７】
また、本発明のプログラムダウンロードシステムは、複数の機能処理を実現するためのアプリケーションプログラムをダウンロードするプログラムダウンロード装置と、複数の機能のうち少なくとも１つの機能を専門に処理する端末装置とをデータ通信可能に接続し、プログラムダウンロード装置から端末装置にアプリケーションプログラムをダウンロードするプログラムダウンロードシステムである。このものにおいて、プログラムダウンロード装置は、端末装置からアプリケーションプログラムのダウンロードが要求されると、このダウンロード要求元の端末装置では処理されない機能を判別する制限機能判別手段と、この制限機能判別手段により処理されないと判別された機能に対応したアプリケーションプログラムを無効化する制限データの生成手段と、複数の機能処理を実現するためのアプリケーションプログラムとともに生成手段により生成された制限データをダウンロード要求元の端末装置にダウンロードするダウンロード処理手段とを備えている。また、端末装置は、プログラムダウンロード装置に対してアプリケーションプログラムのダウンロードを要求するダウンロード要求手段と、このダウンロード要求手段による要求に応答してプログラムダウンロード装置からダウンロードされたアプリケーションプログラム及びこのアプリケーションプログラムに付加された制限データを記憶するダウンロードデータ記憶手段と、このダウンロードデータ記憶手段により記憶されたアプリケーションプログラムを起動する際に当該プログラムとともに記憶された制限データによって無効化された部分を除いたプログラムを有効なアプリケーションプログラムとして起動させるプログラム起動制御手段とを備えている。
【発明の効果】
【０００８】
かかる手段を講じた本発明によれば、プログラムダウンロード装置から端末装置にダウンロード可能なアプリケーションプログラムによって処理される複数の機能のうち一部の機能を処理するアプリケーションに変更が生じても、煩雑なプログラム変更を必要とせず、容易に対処できるという効果を奏し得る。
【発明を実施するための最良の形態】
【０００９】
以下、本発明を実施するための最良の形態について図面を用いて説明する。  
なお、この実施の形態は、郵便局や銀行等の金融機関の窓口で行われる払込み受付業務，預金（貯金）受付業務，積立受付業務，通帳記帳業務等の各種業務を上位センタで一元的に管理するようにした窓口業務処理システムに本発明のプログラムダウンロード機能を適用した場合である。
【００１０】
図１は本実施の形態における窓口業務処理システムの概略構成を示すブロック図である。このシステムでは、郵便局や銀行等の金融機関Ｓ１，Ｓ２毎に、１台の総合端末装置１と複数台の専用端末装置２（２Ａ，２Ｂ，２Ｃ等）が設けられている。総合端末装置１と各専用端末装置２とは、ＬＡＮ（Local Area Network）等の第１のネットワーク３によりデータ送受信可能に接続されている。
【００１１】
各金融機関Ｓ１，Ｓ２を統轄する上位センタＭには、上位サーバ４が設けられている。上位サーバ４と、各金融機関Ｓ１，Ｓ２の総合端末装置１とは、ＩＳＤＮ（Integrated Services Digital Network）またはインターネット等の第２のネットワーク５によりデータ送受信可能に接続されている。
【００１２】
総合端末装置１は、金融機関Ｓ１，Ｓ２の窓口で行われる払込み受付業務，預金（貯金）受付業務，積立受付業務，通帳記帳業務等の各種業務に必要な各種機能を処理することが可能な端末装置である。一方、専用端末装置２は、上記総合端末装置１で処理可能な各種機能のうち少なくとも１つの機能を専門に処理する端末装置である。因みに、本実施の形態では、専用端末装置２Ａは払込み受付業務に係わる機能を専門に処理する端末装置であり、専用端末装置２Ｂは預金（貯金）受付業務及び通帳記帳業務に係わる機能を専門に処理する端末装置であり、専用端末装置２Ｃは積立受付業務に係わる機能を専門に処理する端末装置である。
【００１３】
図２は総合端末装置１の要部構成を示すブロック図である。総合端末装置１は、制御部本体を構成するＣＰＵ（Central Processing Unit）１１、ＯＳ（Operating System）やドライバ等の基本的なプログラムが予め格納されたＲＯＭ（Read Only Memory）１２、各種のデータを書換え自在に記憶するための領域が形成されるＲＡＭ（Random Access Memory）１３、大容量の不揮発性記憶装置であるＨＤＤ（Hard Disk Drive）装置１４、前記第２のネットワーク５を介して接続される上位サーバ４との間のデータ送受信を制御するネットワーク通信部１５、前記第１のネットワーク３を介して接続される各専用端末装置２との間のデータ送受信を制御する端末インターフェイス１６及び入出力機器インターフェイス１７等で構成されている。入出力機器インターフェイス１７には、キーボード６１，ディスプレイ６２，プリンタ６３，スキャナ６４等の各種入出力機器が接続されている。ＣＰＵ１１と、ＲＯＭ１２，ＲＡＭ１３，ＨＤＤ装置１４，ネットワーク通信部１５，端末インターフェイス１６及び入出力機器インターフェイス１７とは、アドレスバス，データバスなどのバスライン１８で接続されている。
【００１４】
図３は専用端末装置２の要部構成を示すブロック図である。専用端末装置２は、制御部本体を構成するＣＰＵ２１、ＯＳやドライバ等の基本的なプログラムが予め格納されたＲＯＭ２２、各種のデータを書換え自在に記憶するための領域が形成されるＲＡＭ２３、前記第１のネットワーク３を介して接続される総合端末装置１との間のデータ送受信を制御する端末インターフェイス２４及び入出力機器インターフェイス２５等で構成されている。入出力機器インターフェイス２５には、キーボード６１，ディスプレイ６２，プリンタ６３，スキャナ６４等の各種入出力機器がその機能に合わせて選択的に接続されている。ＣＰＵ２１と、ＲＯＭ２２，ＲＡＭ２３，端末インターフェイス２４及び入出力機器インターフェイス２５とは、アドレスバス，データバスなどのバスライン２６で接続されている。
【００１５】
図４は総合端末装置１のＨＤＤ装置１４に記憶される主要なデータ構造を示す模式図である。図示するように、ＨＤＤ装置１４には、アプリケーションプログラムＡＰＬが保存されたプログラムファイル７１と、専用端末別機能制限テーブル７２とが記憶されている。
【００１６】
上記プログラムファイル７１に保存されたアプリケーションプログラムＡＰＬは、図５に示すように、当該総合端末装置１で処理可能な各種機能（ここでは機能１〜９とする）をそれぞれ実現するための複数の機能処理プログラムが一本化されたものである。因みに、本実施の形態では、機能１〜３は専用端末装置２Ａで処理される払込み受付業務に係わる機能とし、機能４〜６は専用端末装置２Ｂで処理される預金（貯金）受付業務及び通帳記帳業務に係わる機能とし、機能７〜９は専用端末装置２Ｃで処理される積立受付業務に係わる機能とする。
【００１７】
上記専用端末別機能制限テーブル７２には、図６に示すように、各種専用端末装置２Ａ，２Ｂ，２Ｃの機種毎に、前記総合端末装置１で処理可能な機能項目のうち、その専用端末装置で処理される機能と処理されない機能とを識別するフラグ情報（１＝処理される、０＝処理されない）が記憶されている。ここに専用端末別機能制限テーブル７２は、端末情報記憶手段を構成する。
【００１８】
しかして、各専用端末装置２のＣＰＵ２１は、電源がオンされて立ち上がると、図８の流れ図に示す手順で動作するものとなっている。先ず、ＣＰＵ２１は、ＳＴ（ステップ）１としてＲＡＭ２３，端末インターフェイス２４，入出力機器インターフェイス２５等の初期化処理を行い、総合端末装置１との回線を接続する。次に、ＣＰＵ２１は、ＳＴ２として上記総合端末装置１に対し、アプリケーションプログラムのダウンロード要求伝文を送信する（ダウンロード要求手段）。
【００１９】
このダウンロード要求伝文を受信した総合端末装置１のＣＰＵ１１は、図９の流れ図に示すダウンロード要求応答処理を実行する。すなわち、ＳＴ１１としてダウンロード要求伝文送信元の専用端末装置２の機種を判定する。ダウンロード要求伝文には、専用端末装置２の機種を特定するための情報，すなわち本実施の形態では、払込み受付業務に係わる機能を専門に処理する端末装置２Ａであるか、預金（貯金）受付業務及び通帳記帳業務に係わる機能を専門に処理する端末装置２Ｂであるか、積立受付業務に係わる機能を専門に処理する端末装置２Ｃであるかを識別する情報が付加されており、この情報に基づいて機種を判定する（機種判定手段）。
【００２０】
ダウンロード要求伝文送信元の専用端末装置２の機種が判定されたならば、次に、ＣＰＵ１１は、ＳＴ１２として専用端末別機能制限テーブル７２を参照して、当該機種の専用端末装置２では処理されない機能を判別する（制限機能判別手段）。そして次に、ＳＴ１３として当該機種の専用端末装置２では処理されないと判別された機能に対応したアプリケーションプログラムを無効化するための制限データを作成し、この制限データを制限ファイル７３（図７を参照）に保存する（制限データ作成手段）。
【００２１】
しかる後、ＣＰＵ１１は、ＳＴ１４としてＨＤＤ装置１４に保存されているプログラムファイル７１にＳＴ１３の処理で生成された制限ファイル７３を付加したデータを、第１のネットワーク３を介してプログラム要求元の端末装置２にダウンロードする（ダウンロード処理手段）。ここに、総合端末装置１は、各専用端末装置２に対するプログラムダウンロード装置として機能する。
【００２２】
さて、アプリケーションプログラム要求伝文を送信した専用端末装置２のＣＰＵ２１は、ＳＴ３として伝文送信先の総合端末装置１からのダウンラインローディングを待機する。そして、総合端末装置１からプログラムファイル７１とそれに付加された制限ファイル７３とのダウンロードを受けると、ＣＰＵ２１は、ＳＴ４としてそのプログラムファイル７１と制限ファイル７３とをＲＡＭ２３の所定領域に記憶する（ダウンロードデータ記憶手段）。
【００２３】
次に、ＣＰＵ２１は、ＳＴ５としてＲＡＭ２３に記憶された制限ファイル７３の制限データを参照して、プログラムファイル７１に記憶されているアプリケーションプログラムによって処理可能な各種機能のうち、当該専用端末装置２で処理される機能と処理されない機能とを識別し、処理される機能を有効機能として抽出する。そして、ＳＴ６としてこの有効機能の項目一覧である業務メニュー画面を作成したならば、ＣＰＵ２１は、ＳＴ７としてこの業務メニュー画面をディスプレイ６２に表示させて、選択可能とする。そして、ＳＴ８としてキーボード６１の操作入力等により業務メニュー画面の中のいずれか１項目が選択される毎に、ＳＴ９としてその選択項目に該当する機能処理プログラムを起動して処理を実行させるものとなっている（プログラム起動制御手段）。
【００２４】
このように、複数の機能処理を実現するためのアプリケーションプログラムをダウンロードする機能を有した総合端末装置１と、複数の機能のうち少なくとも１つの機能を専門に処理する専用端末装置２とをデータ通信可能に接続してなる窓口業務処理システムにおいて、総合端末装置１から専用端末装置２にアプリケーションプログラムをダウンロードする際、本実施の形態では次の手順で行われている。
【００２５】
先ず、専用端末装置２が総合端末装置１にアプリケーションプログラムのダウンロードを要求する（ＳＴ２）。
【００２６】
次に、このダウンロードの要求を受けた総合端末装置１が、専用端末別機能制限テーブル７２を参照して、ダウンロード要求元の専用端末装置２では処理されない機能を判別する（ＳＴ１１，ＳＴ１２）。そして、その機能に対応したアプリケーションプログラムを無効化する制限データを生成する（ＳＴ１３）。そして、機能１〜機能９までの処理を実現するためのアプリケーションプログラムが格納されたプログラムファイル７１とともに制限データが格納された制限ファイル７３をダウンロード要求元の専用端末装置２にダウンロードする（ＳＴ１４）。
【００２７】
プログラムファイル７１が制限ファイル７３とともにダウンロードされると、専用端末装置２は、そのプログラムファイル７１中のアプリケーションプログラムのうち制限ファイル７３内の制限データによって無効化された部分を除いたプログラムを有効なアプリケーションプログラムとして実行させる（ＳＴ４〜ＳＴ９）。
【００２８】
図７は払込み受付業務に係わる機能１〜３を専門に処理する専用端末装置２Ａに対してダウンロードされるデータ構造を示す模式図である。図示するように、専用端末装置２Ａには、機能１〜９の処理を全て実現するためのアプリケーションプログラムが保存されたプログラムファイル７１とともに、機能１〜３を有効化（１）し、他の機能４〜９を無効化（０）する制限データが保存された制限ファイル７３がダウンロードされる。これにより、専用端末装置２Ａでは、機能１〜３のメニュー画面がディスプレイ６２に表示されて実行可能となり、他の機能４〜９はメニュー画面から省略される。
【００２９】
一方、他の専用端末装置，例えば預金（貯金）受付業務及び通帳記帳業務に係わる機能４〜６を専門に処理する専用端末装置２Ｂには、機能１〜９の処理を全て実現するためのアプリケーションプログラムが保存されたプログラムファイル７１とともに、機能４〜６を有効化（１）し、他の機能１〜３及び７〜９を無効化（０）する制限データが保存された制限ファイル７３がダウンロードされる。これにより、専用端末装置２Ｂでは、機能４〜６のメニュー画面がディスプレイ６２に表示されて実行可能となり、他の機能１〜３及び７〜９はメニュー画面から省略される。
【００３０】
同様に、積立受付業務に係わる機能７〜９を専門に処理する専用端末装置２Ｃには、機能１〜９の処理を全て実現するためのアプリケーションプログラムが保存されたプログラムファイル７１とともに、機能７〜９を有効化（１）し、他の機能１〜６を無効化（０）する制限データが保存された制限ファイル７３がダウンロードされる。これにより、専用端末装置２Ｃでは、機能７〜９のメニュー画面がディスプレイ６２に表示されて実行可能となり、他の機能１〜６はメニュー画面から省略される。
【００３１】
このように本実施の形態では、総合端末装置１が有するプログラムファイル７１に保存されているアプリケーションプログラムを全てそのままダウンロードしているにも係わらず、各種の専用端末装置２Ａ〜２Ｃではその端末固有の機能のみが実現されるようになっている。したがって、一部の機能処理に対応したアプリケーションプログラムを変更することになっても、総合端末装置１が有するアプリケーションプログラムを例えば上位サーバ４からのアクセスにより書き換えるだけでよいので、容易に対処することができる。
【００３２】
なお、この発明は前記実施形態そのままに限定されるものではなく、実施段階ではその要旨を逸脱しない範囲で構成要素を変形して具体化できる。
【００３３】
例えば、前記実施の形態では、専用端末装置２がプログラムファイル７１と制限ファイル７３をＲＡＭ２３に記憶するようにしたが、ＨＤＤ装置やフラッシュメモリ等の不揮発性記憶部を専用端末装置２に設けて、上記プログラムファイル７１と制限ファイル７３を記憶させるようにしてもよい。この場合、専用端末装置２では電源がオフされても上記プログラムファイル７１と制限ファイル７３とは消失しないので、専用端末装置２からのダウンロード要求に対して総合端末装置１がアプリケーションプログラムの変更有無を判断し、変更後の最初のダウンロード要求の場合に限り、記プログラムファイル７１と制限ファイル７３をダウンロードするように構成することができる。こうすることにより、総合端末装置１と各専用端末装置２との間の通信トラフィック量を低減できる効果を奏する。
【００３４】
また、前記実施の形態では、専用端末別機能制限テーブル７２において、専用端末装置に機種別にその専用端末装置で処理される機能と処理されない機能とを識別するフラグ情報を記憶するようにしたが、その専用端末装置で処理される機能を識別する情報のみ、あるいはその専用端末装置で処理されない機能を識別する情報のみを記憶するようにしてもよい。
【００３５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３６】
【図１】本発明の一実施の形態における窓口業務処理システムの概略構成を示すブロック図。
【図２】同実施の形態における総合端末装置の要部構成を示すブロック図。
【図３】同実施の形態における専用端末装置の要部構成を示すブロック図。
【図４】同実施の形態において総合端末装置のＨＤＤ装置に保存されるデータ構造を示す模式図。
【図５】図４のプログラムファイルに記憶されるデータ構造の一例を示す模式図。
【図６】図４の専用端末別機能制限テーブルに記憶されるデータ構造の一例を示す模式図。
【図７】本実施の形態において専用端末装置２Ａにダウンロードされるデータ構造の一例を示す模式図。
【図８】同実施の形態において専用端末装置のＣＰＵが実行する電源オン処理の要部手順を示す流れ図。
【図９】同実施の形態において総合端末装置のＣＰＵが実行するＤＬＬ要求応答処理の要部手順を示す流れ図。
【符号の説明】
【００３７】
１…総合端末装置、２（２Ａ，２Ｂ，２Ｃ）…専用端末装置、３…第１のネットワーク、４…上位サーバ、５…第２のネットワーク、１１，２１…ＣＰＵ、７１…プログラムファイル、７２…専用端末別機能制限テーブル、７３…制限ファイル。
【図１】
2006260149.tif 000003
【図２】
2006260149.tif 000004
【図３】
2006260149.tif 000005
【図４】
2006260149.tif 000006
【図５】
2006260149.tif 000007
【図６】
2006260149.tif 000008
【図７】
2006260149.tif 000009
【図８】
2006260149.tif 000010
【図９】
2006260149.tif 000011